(57)【要約】  タッチスクリーンの制御方法、装置、機器、記憶媒体及びプロセッサを提供する。該方法は、タッチスクリーンのタッチパネルへのタッチ操作の有無を示すための検出結果を取得するステップ（Ｓ３０２）と、検出結果に応じて、フィードバック信号を決定するステップ（Ｓ３０４）と、フィードバック信号に基づいて、タッチスクリーンの作動モードを制御するステップ（Ｓ３０６）と、を含む。従来のタッチスクリーンの制御態様が柔軟性に欠ける課題を解決する。
2021535528.tif 000002
【特許請求の範囲】
【請求項１】
タッチスクリーンのタッチパネルへのタッチ操作の有無を示すための検出結果を取得するステップと、
前記検出結果に応じて、フィードバック信号を決定するステップと、
前記フィードバック信号に基づいて、前記タッチスクリーンの作動モードを制御するステップと、を含む、
タッチスクリーンの制御方法。
【請求項２】
前記作動モードは、
タッチ機能を有しないように前記タッチスクリーンを制御するための表示専用モードと、
前記タッチ機能を有するように前記タッチスクリーンを制御するためのタッチモードと、
前記表示専用モードから前記タッチモードへ切り替えるように前記タッチスクリーンを制御するためのタッチ移行モードと、
前記タッチモードから前記表示専用モードへ切り替えるように前記タッチスクリーンを制御するためのタッチ終了モードと、を含む、
請求項１に記載の方法。
【請求項３】
前記検出結果に応じて、フィードバック信号を決定するステップは、
前記フィードバック信号のある所定の時間帯の直前の時間帯である第１時間帯における、前記タッチスクリーンの前記作動モードを取得するステップと、
前記第１時間帯における前記作動モード及び前記検出結果に応じて前記フィードバック信号を決定するステップと、を含む、
請求項２に記載の方法。
【請求項４】
前記第１時間帯における前記作動モード及び前記検出結果に応じて前記フィードバック信号を決定するステップは、
前記第１時間帯における前記作動モードが前記表示専用モードまたは前記タッチ終了モードである場合であって、前記所定の時間帯に前記タッチ操作が存在しない場合、前記フィードバック信号が第１フィードバック状態であると決定するステップを含み、
前記フィードバック信号に基づいて、前記タッチスクリーンの作動モードを制御するステップは、
前記第１フィードバック状態に応じて、前記所定の時間帯における作動モードが前記表示専用モードであるように前記タッチスクリーンを制御するための第１制御命令を生成するステップを含む、
請求項３に記載の方法。
【請求項５】
前記第１時間帯における前記作動モード及び前記検出結果に応じて前記フィードバック信号を決定するステップは、
前記第１時間帯における前記作動モードが前記表示専用モードまたは前記タッチ終了モードである場合であって、前記所定の時間帯に前記タッチ操作が存在する場合、前記フィードバック信号が第１フィードバック状態から第２フィードバック状態への切り替えを示すための第１切り替え状態であると決定するステップを含み、
前記フィードバック信号に基づいて、前記タッチスクリーンの作動モードを制御するステップは、
前記第１切り替え状態に応じて、前記所定の時間帯における作動モードが前記タッチ移行モードであるように前記タッチスクリーンを制御するための第２制御命令を生成するステップを含み、前記タッチ移行モードは、前記フィードバック信号が前記第１フィードバック状態から前記第２フィードバック状態に切り替えられた場合、前記タッチ機能を有するように前記タッチスクリーンを制御することを示す、
請求項３に記載の方法。
【請求項６】
前記第１時間帯における前記作動モード及び前記検出結果に応じて前記フィードバック信号を決定するステップは、
前記第１時間帯における前記作動モードが前記タッチ移行モードまたは前記タッチモードである場合であって、前記所定の時間帯に前記タッチ操作が存在する場合、第２フィードバック状態になるように前記フィードバック信号を制御するステップを含み、
前記フィードバック信号に基づいて、前記タッチスクリーンの作動モードを制御するステップは、
前記第２フィードバック状態に応じて、前記所定の時間帯における作動モードが前記タッチモードであるように前記タッチスクリーンを制御するための第３制御命令を生成するステップを含む、
請求項３に記載の方法。
【請求項７】
前記第１時間帯における前記作動モード及び前記検出結果に応じて前記フィードバック信号を決定するステップは、
前記第１時間帯における前記作動モードが前記タッチモードまたは前記タッチ移行モードである場合であって、前記所定の時間帯に前記タッチ操作が存在しない場合、前記フィードバック信号が第２フィードバック状態から第１フィードバック状態への切り替えを示すための第２切り替え状態になるように前記フィードバック信号を制御するステップを含み、
前記フィードバック信号に基づいて、前記タッチスクリーンの作動モードを制御するステップは、
前記第２切り替え状態に応じて、前記所定の時間帯における作動モードが前記タッチ終了モードであるように前記タッチスクリーンを制御するための第４制御命令を生成するステップを含み、前記タッチ終了モードは、前記所定の時間帯が終了した後、前記作動モードを前記表示専用モードに切り替えることを示す、
請求項３に記載の方法。
【請求項８】
前記第１フィードバック状態は、前記フィードバック信号が低電位である状態を示す、
請求項４乃至請求項６のうちのいずれか１項に記載の方法。
【請求項９】
前記第２フィードバック状態は、前記フィードバック信号が高電位である状態を示す、
請求項５乃至請求項７のうちのいずれか１項に記載の方法。
【請求項１０】
タッチスクリーンのパネルへのタッチ操作が存在することを示すためのタッチ命令を検出するステップと、
前記タッチ命令に応じて、フィードバック信号を決定するステップと、
前記フィードバック信号に基づいて前記タッチスクリーンの作動モードを制御するためのタイミング制御チップに、前記フィードバック信号を送信するステップと、を含む、
タッチスクリーンの制御方法。
【請求項１１】
タッチスクリーンのタッチパネルへのタッチ操作の有無を示すための検出結果を取得するように構成された第１取得ユニットと、
前記検出結果に応じて、フィードバック信号を決定するように構成された第１決定ユニットと、
前記フィードバック信号に基づいて、前記タッチスクリーンの作動モードを制御するように構成された制御ユニットと、を含む、
タッチスクリーンの制御装置。
【請求項１２】
タッチスクリーンのタッチパネルへのタッチ操作の有無を示すための検出結果を取得するように構成された第２取得ユニットと、
前記検出結果に応じて、フィードバック信号を決定するように構成された第２決定ユニットと、
前記フィードバック信号に基づいて前記タッチスクリーンの作動モードを制御するためのタイミング制御チップに、前記フィードバック信号を送信するように構成された送信ユニットと、を含む、
タッチスクリーンの制御装置。
【請求項１３】
タッチ操作の有無を検出し、検出結果を生成するように構成されたタッチパネルと、
前記検出結果に応じて、フィードバック信号を決定するように構成されたドライバチップと、
前記フィードバック信号に基づいて、前記フィードバック信号に対応するタッチ同期信号を、前記タッチ同期信号に基づいて前記タッチスクリーンの作動モードを制御する前記ドライバチップに送信するように構成されたタイミング制御チップと、含む、
タッチスクリーンの制御機器。
【請求項１４】
記憶されたプログラムを含む記憶媒体であって、前記プログラムが請求項１乃至請求項１０のうちのいずれか１項に記載のタッチスクリーンの制御方法を実行する、記憶媒体。
【請求項１５】
プログラムを実行するためのプロセッサであって、
前記プログラムは実行されると請求項１乃至請求項１０のうちのいずれか１項に記載のタッチスクリーンの制御方法を実現する、プロセッサ。
【発明の詳細な説明】
【技術分野】
【０００１】
本願は、２０１８年０８月２３日に中国特許局に出願された、出願番号が２０１８１０９６７７２０．３で、発明名称が「タッチスクリーンの制御方法、装置、機器、記憶媒体及びプロセッサ」である中国特許出願の優先権を主張し、その開示のすべてをここに援用する。
【０００２】
本発明は、コンピュータ分野に関し、特に、タッチスクリーンの制御方法、装置、機器、記憶媒体及びプロセッサに関する。
【背景技術】
【０００３】
ノートパソコンやディスプレイの液晶ディスプレイ製品において、インセル型（Ｉｎ−Ｃｅｌｌ）タッチ技術の成熟に伴い、ますます多くの市場シェアを占めるようになってきた。
【０００４】
インセル型タッチスクリーン、すなわちＩｎ−Ｃｅｌｌ  Ｔｏｕｃｈ液晶ディスプレイは、タッチスクリーンのタッチ電極を液晶ディスプレイの内部に内蔵することで、モジュール全体の厚みを減少し、タッチスクリーンの製造コストを低減することができる。
【０００５】
タッチ電極を液晶ディスプレイの内部に内蔵したため、液晶ディスプレイがタッチ機能及び表示機能を有するが、実際の適用において液晶ディスプレイの回路がタッチ機能及び表示機能の同時利用をサポートするのには十分ではないため、タッチ機能と表示機能とを交互に行わなければならない。ここで、タッチ機能と表示機能との切り替え速度が速いほど、効果がタッチ機能と表示機能とを同時に使用する場合に接近する。
【０００６】
しかしながら、インセル型タッチスクリーンは、タッチ操作の有無に関わらず、いずれもタッチ機能と表示機能との間で切り替えを行わなければならず、柔軟に制御することができない。
【０００７】
上記の従来のタッチスクリーンの制御態様が柔軟性に欠ける課題について、いまだに有効な解決案が提示されていない。
【発明の概要】
【発明が解決しようとする課題】
【０００８】
本発明の実施例は、少なくとも従来のタッチスクリーンの制御態様が柔軟性に欠ける課題を解決するタッチスクリーンの制御方法、装置、機器、記憶媒体及びプロセッサを提供する。
【課題を解決するための手段】
【０００９】
本発明の実施例の一態様によると、タッチスクリーンのタッチパネルへのタッチ操作の有無を示すための検出結果を取得するステップと、前記検出結果に応じて、フィードバック信号を決定するステップと、前記フィードバック信号に基づいて、前記タッチスクリーンの作動モードを制御するステップと、を含むタッチスクリーンの制御方法を提供する。
【００１０】
さらに、前記作動モードは、タッチ機能を有しないように前記タッチスクリーンを制御するための表示専用モードと、前記タッチ機能を有するように前記タッチスクリーンを制御するためのタッチモードと、前記表示専用モードから前記タッチモードへ切り替えるように前記タッチスクリーンを制御するためのタッチ移行モードと、前記タッチモードから前記表示専用モードへ切り替えるように前記タッチスクリーンを制御するためのタッチ終了モードと、を含むことができる。
【００１１】
さらに、前記検出結果に応じて、フィードバック信号を決定するステップは、前記フィードバック信号のある所定の時間帯の直前の時間帯である第１時間帯における前記タッチスクリーンの前記作動モードを取得するステップと、前記第１時間帯における前記作動モード及び前記検出結果に応じて前記フィードバック信号を決定するステップと、を含むことができる。
【００１２】
さらに、前記第１時間帯における前記作動モード及び前記検出結果に応じて前記フィードバック信号を決定するステップは、前記第１時間帯における前記作動モードが前記表示専用モードまたは前記タッチ終了モードである場合であって、前記所定の時間帯に前記タッチ操作が存在しない場合、前記フィードバック信号が第１フィードバック状態であると決定するステップを含み、前記フィードバック信号に基づいて、前記タッチスクリーンの作動モードを制御するステップは、前記第１フィードバック状態に応じて、前記所定の時間帯における作動モードが前記表示専用モードであるように前記タッチスクリーンを制御するための第１制御命令を生成するステップを含むことができる。
【００１３】
さらに、前記第１時間帯における前記作動モード及び前記検出結果に応じて前記フィードバック信号を決定するステップは、前記第１時間帯における前記作動モードが前記表示専用モードまたは前記タッチ終了モードである場合であって、前記所定の時間帯に前記タッチ操作が存在する場合、前記フィードバック信号が、第１フィードバック状態から第２フィードバック状態へ切り替えられたことを示すための第１切り替え状態であると決定するステップを含み、前記フィードバック信号に基づいて、前記タッチスクリーンの作動モードを制御するステップは、前記第１切り替え状態に応じて、前記所定の時間帯における作動モードが前記タッチ移行モードであるように前記タッチスクリーンを制御するための第２制御命令を生成するステップを含み、前記タッチ移行モードは、前記フィードバック信号が前記第１フィードバック状態から前記第２フィードバック状態に切り替えられた場合、前記タッチ機能を有するように前記タッチスクリーンを制御することを示すことができる。
【００１４】
さらに、前記第１時間帯における前記作動モード及び前記検出結果に応じて前記フィードバック信号を決定するステップは、前記第１時間帯における前記作動モードが前記タッチ移行モードまたは前記タッチモードである場合であって、前記所定の時間帯に前記タッチ操作が存在する場合、第２フィードバック状態になるように前記フィードバック信号を制御するステップを含み、前記フィードバック信号に基づいて、前記タッチスクリーンの作動モードを制御するステップは、前記第２フィードバック状態に応じて、前記所定の時間帯における作動モードが前記タッチモードであるように前記タッチスクリーンを制御するための第３制御命令を生成するステップを含むことができる。
【００１５】
さらに、前記第１時間帯における前記作動モード及び前記検出結果に応じて前記フィードバック信号を決定するステップは、前記第１時間帯における前記作動モードが前記タッチモードまたは前記タッチ移行モードである場合であって、前記所定の時間帯に前記タッチ操作が存在しない場合、前記フィードバック信号が第２フィードバック状態から第１フィードバック状態へ切り替えられたことを示すための第２切り替え状態になるように前記フィードバック信号を制御するステップを含み、前記フィードバック信号に基づいて、前記タッチスクリーンの作動モードを制御するステップは、前記第２切り替え状態に応じて、前記所定の時間帯における作動モードが前記タッチ終了モードであるように前記タッチスクリーンを制御するための第４制御命令を生成するステップを含み、前記タッチ終了モードは、前記所定の時間帯が終了した後、前記作動モードを前記表示専用モードに切り替えることを示すことができる。
【００１６】
さらに、前記第１フィードバック状態は、前記フィードバック信号が低電位である状態を示すことができる。
【００１７】
さらに、前記第２フィードバック状態は、前記フィードバック信号が高電位である状態を示すことができる。
【００１８】
本発明の実施例の他の一態様によると、タッチスクリーンのパネルへのタッチ操作が存在することを示すためのタッチ命令を検出するステップと、前記タッチ命令に応じて、フィードバック信号を決定するステップと、前記フィードバック信号に基づいて前記タッチスクリーンの作動モードを制御するためのタイミング制御チップに、前記フィードバック信号を送信するステップと、を含むタッチスクリーンの制御方法を提供する。
【００１９】
本発明の実施例の他の一態様によると、タッチスクリーンのタッチパネルへのタッチ操作の有無を示すための検出結果を取得するように構成された第１取得ユニットと、前記検出結果に応じて、フィードバック信号を決定するように構成された第１決定ユニットと、前記フィードバック信号に基づいて、前記タッチスクリーンの作動モードを制御するように構成された制御ユニットと、を含むタッチスクリーンの制御装置を提供する。
【００２０】
本発明の実施例の他の一態様によると、タッチスクリーンのタッチパネルへのタッチ操作の有無を示すための検出結果を取得するように構成された第２取得ユニットと、前記検出結果に応じて、フィードバック信号を決定するように構成された第２決定ユニットと、前記フィードバック信号に基づいて前記タッチスクリーンの作動モードを制御するためのタイミング制御チップに、前記フィードバック信号を送信するように構成された送信ユニットと、を含むタッチスクリーンの制御装置を提供する。
【００２１】
本発明の実施例の他の一態様によると、タッチ操作の有無を検出し、検出結果を生成するように構成されたタッチパネルと、前記検出結果に応じて、フィードバック信号を決定するように構成されたドライバチップと、前記フィードバック信号に基づいて、前記ドライバチップへ前記フィードバック信号に対応するタッチ同期信号を送信するように構成されたタイミング制御チップと、含み、前記ドライバチップは、前記タッチ同期信号に基づいて前記タッチスクリーンの作動モードを制御するタッチスクリーンの制御機器を提供する。
【００２２】
本発明の他の一態様によると、本発明の実施例において、記憶されたプログラムを含む記憶媒体であって、前記プログラムが実行されると前記記憶媒体が配置された機器に上記タッチスクリーンの制御方法を実行させる記憶媒体を提供する。
【００２３】
本発明の他の一態様によると、本発明の実施例において、実行されると上記タッチスクリーンの制御方法を実現するプログラムを実行するためのプロセッサを提供する。
【００２４】
本発明の実施例において、タッチスクリーンのタッチパネルへのタッチ操作の有無を検出して検出結果を取得してから、検出結果に応じてフィードバック信号を決定し、その後、フィードバック信号によってタッチスクリーンの作動モードを制御することで、タッチスクリーンの作動モードを柔軟に制御する目的を実現して、タッチスクリーンを柔軟に制御する技術効果を実現し、従来のタッチスクリーンの制御態様が柔軟性に欠ける課題を解決する。
【００２５】
ここで説明する図面は本発明を一層理解させるためのもので、本願の一部を構成し、本発明に示す実施例及びその説明は本発明を解釈するもので、本発明を限定するものではない。
【図面の簡単な説明】
【００２６】
【図１】インセル型タッチスクリーンの制御プロセスを示す図である。
【図２】本発明の実施例に係るタッチスクリーンの制御機器を示す図である。
【図３】本発明の実施例に係るタッチスクリーンの制御方法を示すフローチャートである。
【図４】本発明の実施例に係る表示専用モードを示す図である。
【図５】本発明の実施例に係るタッチ移行モードを示す図である。
【図６】本発明の実施例に係るタッチモードを示す図である。
【図７】本発明の実施例に係るタッチ終了モードを示す図である。
【図８】本発明の実施例に係るタッチスクリーンの制御方法を示すフローチャートである。
【図９】本発明の実施例に係るタッチスクリーンの制御装置を示す図である。
【図１０】本発明の実施例に係るタッチスクリーンの制御装置を示す図である。
【発明を実施するための形態】
【００２７】
以下、当業者が本発明の技術案を一層簡単に理解するように、本発明の実施例の図面を参照しながら、本発明の実施例の技術案を明確且つ完全に説明するが、ここで説明する実施例が本発明の実施例の全部ではなく一部であることは言うまでもない。本発明の実施例に基づいて、当業者が創造性のある行為を必要とせずに得られる他の実施例はすべて本発明の保護範囲に含まれる。
【００２８】
尚、本発明の明細書、特許請求の範囲及び図面に用いられた「第１」、「第２」等の用語は類似する対象を区別するためのもので、必ずしも特定の順又は前後順を限定するものではない。ここで説明する本発明の実施例を図示又は説明された順と異なる順でも実現できるように、このように使用される数値は適切な状況において交換可能である。尚、「含む」、「有する」及びそれらの変形用語は、非排他的に含むことをカバーするもので、例えば、一連のステップ又はユニットを含むプロセス、方法、システム、製品又は機器は明確に例示されたステップ又はユニットに限定されず、明確に例示されていないか又はこれらのプロセス、方法、製品又は機器固有の他のステップ又はユニットを含むことも可能であることを表す。
【００２９】
本発明の実施例によると、タッチスクリーンの制御方法の実施例を提供する。ここで、図面中のフローチャートに示すステップを例えば１組のコンピュータによって実行可能な命令をコンピュータシステムで実行することができ、また、フローチャートにロジック順が示されているが、場合によってはそれと異なる順で図示または説明されたステップを実行することができる。
【００３０】
本発明による技術案は、インセル型タッチスクリーンを制御することができる。
なお、インセル型タッチスクリーンは主に、タイミング制御（ＴＣＯＮ）チップとドライバ（Ｄｒｉｖｅｒ）チップとの協働に依存する。
【００３１】
図１は、インセル型タッチスクリーンの制御プロセスを示す図である。図１に示すように、インセル型タッチスクリーンは、本来１フレームの正常なデータを表示するのに必要な時間内で、間隔をあけた表示処理ウィンドウとタッチ処理ウィンドウとに分割して、タッチ同期信号（Ｔｏｕｃｈ＿ＳＹＮＣ）によって時分割処理の表示（Ｄ）やタッチ（Ｔ）機能を行わなければならない。
【００３２】
なお、表示処理ウィンドウによって表示（Ｄ）機能を実現し、表示（Ｄ）機能に対応するタッチ同期信号は高電位である。また、タッチ処理ウィンドウによってタッチ（Ｔ）機能を実現し、タッチ（Ｔ）機能に対応するタッチ同期信号は低電位である。
【００３３】
選択的に、タイミング制御（ＴＣＯＮ）チップは、タッチ同期信号における表示（Ｄ）機能とタッチ（Ｔ）機能との切り替え周波数を単一方向に制御することができる。
【００３４】
選択的に、表示とタッチ操作が同時に存在する場合、タイミング制御（ＴＣＯＮ）チップとドライバ（Ｄｒｉｖｅｒ）チップは、正常な１フレームより短い時間内でデータ表示処理を完成する必要がある。これは、タイミング制御（ＴＣＯＮ）チップとドライバ（Ｄｒｉｖｅｒ）チップの内部クロック周波数が通常の表示を超えなければならないことを意味する。
【００３５】
しかし、タッチ操作の有無に関わらず、タイミング制御（ＴＣＯＮ）チップとドライバ（Ｄｒｉｖｅｒ）チップの内部クロックはいずれも通常の表示を超えなければならない。
【００３６】
図２は、本発明の実施例に係るタッチスクリーンの制御機器を示す図であり、図２に示すように、タッチパネル２１と、ドライバチップ２３と、タイミング制御チップ２５と、を含む。
【００３７】
ここで、タッチパネル２１は、タッチ操作の有無を検出して検出結果を生成するものである。ドライバチップ２３は、検出結果に応じてフィードバック信号２７を決定するものである。タイミング制御チップ２５は、フィードバック信号に基づいて、ドライバチップへフィードバック信号２７に対応するタッチ同期信号２９を返送する。ここで、ドライバチップ２３はタッチ同期信号２９に応じてタッチスクリーンの作動モードを制御する。
【００３８】
本発明の上記実施例によれば、タッチスクリーンのタッチパネルへのタッチ操作の有無を検出して検出結果を得て、当該検出結果をドライバチップに伝送し、ドライバチップにより検出結果に応じてフィードバック信号を決定して、タイミング制御チップがフィードバック信号に応答するように、当該フィードバック信号をタイミング制御チップへ伝送し、またドライバチップへ当該フィードバック情報に対応するタッチ同期信号を返送して、ドライバチップがタッチ同期信号の制御でタッチスクリーンの作動モードを制御することができ、タッチスクリーンの作動モードを柔軟に制御する目的を実現して、タッチスクリーンを柔軟に制御する技術効果を実現し、従来のタッチスクリーンの制御態様が柔軟性に欠ける課題を解決する。
【００３９】
本発明の実施例によれば、タッチスクリーンの制御方法の実施例をさらに提供する。なお、このタッチスクリーンの制御方法は、上記タッチスクリーンの制御機器のハードウェア環境でタッチスクリーンの制御方法を実行することができる。
【００４０】
図３は、本発明の実施例に係るタッチスクリーンの制御方法を示すフローチャートであり、図３に示すように、この方法は以下のステップＳ３０２、Ｓ３０４、Ｓ３０６を含む。
【００４１】
ステップＳ３０２において、タッチスクリーンのタッチパネルへのタッチ操作の有無を示す検出結果を取得する。
【００４２】
ステップＳ３０４において、検出結果に応じて、フィードバック信号を決定する。
【００４３】
ステップＳ３０６において、フィードバック信号に基づいて、タッチスクリーンの作動モードを制御する。
【００４４】
本発明の実施例において、タッチスクリーンのタッチパネルへのタッチ操作の有無を検出して検出結果を得てから、検出結果に応じてフィードバック信号を決定し、その後フィードバック信号によってタッチスクリーンの作動モードを制御して、タッチスクリーンの作動モードを柔軟に制御する目的を実現して、タッチスクリーンを柔軟に制御する技術効果を実現し、従来のタッチスクリーンの制御態様が柔軟性に欠ける課題を解決する。
【００４５】
上記ステップＳ３０６において、タイミング制御チップによってフィードバック信号に基づいて当該フィードバック信号に対応するタッチ同期信号を生成することができ、当該タッチ同期信号に基づいて、タッチスクリーンの作動モードを制御し、作動モードの切り替えを実現することができる。
【００４６】
選択可能な実施例として、作動モードは、タッチ機能を有しないようにタッチスクリーンを制御するための表示専用モードと、タッチ機能を有するようにタッチスクリーンを制御するためのタッチモードと、表示専用モードからタッチモードに切り替えるようにタッチスクリーンを制御するためのタッチ移行モードと、タッチモードから表示専用モードに切り替えるようにタッチスクリーンを制御するためのタッチ終了モードと、を含む。
【００４７】
選択的に、表示専用モードは、タッチ機能を有しないようにタッチスクリーンを制御するため、表示専用モードにおいて、タッチスクリーンのタッチ同期信号（Ｔｏｕｃｈ＿ＳＹＮＣ）は表示（Ｄ）機能のみを提供することができる。
【００４８】
選択的に、タッチモードは、タッチ機能を有するようにタッチスクリーンを制御するため、タッチモードにおいて、タッチスクリーンのタッチ同期信号（Ｔｏｕｃｈ＿ＳＹＮＣ）は表示（Ｄ）機能とタッチ（Ｔ）機能を時分割に処理することができる。
【００４９】
選択可能な実施例として、検出結果に応じてフィードバック信号を決定するステップは、第１時間帯におけるタッチスクリーンの作動モードを取得するステップであって、第１時間帯はフィードバック信号のある所定の時間帯の直前の（１つ前の）時間帯であるステップと、第１時間帯における作動モードと検出結果に応じてフィードバック信号を決定するステップと、を含む。
【００５０】
本発明の上記実施例によれば、フィードバック信号のある時間帯を所定の時間帯とし、フィードバック信号の直前の時間帯を第１時間帯としてフィードバック信号を決定する場合、第１時間帯における作動モード及び所定の時間帯内のタッチ操作の有無の検出結果に応じて、所定の時間帯のフィードバック信号を決定することができ、さらに該フィードバック信号に基づいて所定の時間帯における作動モードを決定することができる。
【００５１】
なお、ここでのフィードバック信号は２進数信号で、第１フィードバック状態と第２フィードバック状態を有することができる。ここで、第１フィードバック状態はフィードバック信号が低電位である状態を表し、第２フィードバック状態はフィードバック信号が高電位である状態を表し、所定の時間帯内において、フィードバック信号は、第１フィードバック状態と、第２フィードバック状態と、第１フィードバック状態から第２フィードバック状態に切り替える第１切り替え状態と、第２フィードバック状態から第１フィードバック状態に切り替える第２切り替え状態と、を含むことができる。
【００５２】
選択的に、第１時間帯における作動モードが表示専用モードまたはタッチ終了モードである場合、第１時間帯が終了すると、フィードバック信号は第１フィードバック状態となり、すなわち所定の時間帯のフィードバック信号の初期状態が第１フィードバック状態であり、所定の時間帯においてタッチ操作が検出されないと、フィードバック信号は所定の時間帯内で常に第１フィードバック状態に維持されており、タッチスクリーンの所定の時間帯における作動モードは表示専用モードであることができる。
【００５３】
選択可能な実施例として、第１時間帯における作動モードと検出結果に応じてフィードバック信号を決定するステップは、第１時間帯における作動モードが表示専用モードまたはタッチ終了モードである場合であって、所定の時間帯内にタッチ操作が存在しない場合、フィードバック信号が第１フィードバック状態であると決定するステップを含み、フィードバック信号に基づいて、タッチスクリーンの作動モードを制御するステップは、第１フィードバック状態に応じて第１制御命令を生成するステップを含む。ここで、第１制御命令は、所定の時間帯における作動モードが表示専用モードであるようにタッチスクリーンを制御するためのものである。
【００５４】
選択的に、第１制御命令は、表示（Ｄ）機能のみを有するタッチ同期信号であることができる。
【００５５】
図４は、本発明の実施例に係る表示専用モードを示す図であり、図４に示すように、タッチパネル（ｐａｎｅｌ）へのタッチ（ｔｏｕｃｈ）操作の存在がずっと検出されないと、フィードバック信号（Ｔｏｕｃｈ＿Ｐｒｏｃｅｓｓ）はドライバ（Ｄｒｉｖｅｒ）チップによってプルダウンされる。タイミング制御（ＴＣＯＮ）チップは、フィードバック信号（Ｔｏｕｃｈ＿Ｐｒｏｃｅｓｓ）が低いことを検出すると、タッチ同期信号（Ｔｏｕｃｈ＿ＳＹＮＣ）をプルアップする。同時に、内部クロックを通常の表示の周波数に低減させる。ドライバ（Ｄｒｉｖｅｒ）チップもタッチ同期信号（Ｔｏｕｃｈ＿ＳＹＮＣ）が高い状態に基づいて、内部クロックを通常の表示の周波数に低減させて、タッチスクリーンを表示専用モード（ＩＣＴ  Ｓｉｎｇｌｅ  Ｄｉｓｐｌａｙ  Ｍｏｄｅ）で動作させる。
【００５６】
選択的に、第１時間帯における作動モードが表示専用モードまたはタッチ終了モードである場合、第１時間帯が終了すると、フィードバック信号が第１フィードバック状態となり、すなわち所定の時間帯のフィードバック信号の初期状態が第１フィードバック状態であり、所定の時間帯でタッチ操作が検出されると、フィードバック信号が所定の時間帯内で第１フィードバック状態から第２フィードバック状態へ切り替えられ、フィードバック信号の第１切り替え状態を得て、タッチスクリーンの所定の時間帯での作動モードはタッチ移行モードであることができる。
【００５７】
選択可能な実施例として、第１時間帯における作動モードと検出結果に応じてフィードバック信号を決定するステップは、第１時間帯における作動モードが表示専用モードまたはタッチ終了モードである場合であって、所定の時間帯内にタッチ操作が存在する場合、前記フィードバック信号が、第１フィードバック状態から第２フィードバック状態へ切り替えられたことを示すための第１切り替え状態であると決定するステップを含み、フィードバック信号に基づいて、タッチスクリーンの作動モードを制御するステップは、第１切り替え状態に応じて第２制御命令を生成するステップを含む。ここで、第２制御命令は、所定の時間帯における作動モードがタッチ移行モードであるようにタッチスクリーンを制御し、タッチ移行モードは、フィードバック信号が第１フィードバック状態から第２フィードバック状態に切り替えられた場合、タッチ機能を有するようにタッチスクリーンを制御することを示す。
【００５８】
選択的に、第２制御命令は、タッチ（Ｔ）機能のみを有するタッチ同期信号であることができる。
【００５９】
図５は、本発明の実施例に係るタッチ移行モードを示す図であり、図５に示すように、タッチパネル（ｐａｎｅｌ）へのタッチ（ｔｏｕｃｈ）操作がずっと存在すると検出されると、フィードバック信号（Ｔｏｕｃｈ＿Ｐｒｏｃｅｓｓ）はドライバ（Ｄｒｉｖｅｒ）チップによってプルアップされる。タイミング制御（ＴＣＯＮ）チップは、フィードバック信号（Ｔｏｕｃｈ＿Ｐｒｏｃｅｓｓ）が高いことを検出すると、タッチ同期信号（Ｔｏｕｃｈ＿ＳＹＮＣ）をディスプレイ（Ｄｉｓｐｌａｙ）とタッチ（Ｔｏｕｃｈ）のデータ処理ウィンドウで切り替える。同時に、内部クロックが逓倍モードに調整される。ドライバ（Ｄｒｉｖｅｒ）チップもタッチ同期信号（Ｔｏｕｃｈ＿ＳＹＮＣ）の状態に基づいて、時分割に表示データの受信とタッチデータの送信を行って、タッチスクリーンをタッチモード（ＩＣＴ  Ｔｏｕｃｈ  Ｍｏｄｅ）で動作させる。
【００６０】
選択的に、第１時間帯における作動モードがタッチ移行モードまたはタッチモードである場合、第１時間帯が終了すると、フィードバック信号は第２フィードバック状態となり、すなわち所定の時間帯のフィードバック信号の初期状態は第２フィードバック状態であり、所定の時間帯でタッチ操作が検出されると、フィードバック信号が所定の時間帯内で常に第２フィードバック状態に維持されており、タッチスクリーンの所定の時間帯における作動モードはタッチモードであることができる。
【００６１】
選択可能な実施例として、第１時間帯における作動モードと検出結果に応じてフィードバック信号を決定するステップは、第１時間帯における作動モードがタッチ移行モードまたはタッチモードである場合であって、所定の時間帯内にタッチ操作が存在する場合、第２フィードバック状態になるようにフィードバック信号を制御するステップを含み、フィードバック信号に応じて、タッチスクリーンの作動モードを制御するステップは、第２フィードバック状態に応じて、所定の時間帯における作動モードがタッチモードであるようにタッチスクリーンを制御するための第３制御命令を生成するステップを含む。
【００６２】
選択的に、第３制御命令は、表示（Ｄ）機能のみを有するタッチ同期信号から、表示（Ｄ）機能とタッチ（Ｔ）機能を時分割に処理するタッチ同期信号に切り替えるものであることができる。
【００６３】
図６は、本発明の実施例に係るタッチモードを示す図であり、図６に示すように、実際の応用において、タッチ操作は任意の時間で発生可能である。タッチ操作の発生が検出された場合、タッチスクリーンがタッチ移行モード（ＩＣＴ  Ｅｎｔｒｙ  Ｍｏｄｅ）で動作するように、直ちにタッチ（Ｔｏｕｃｈ）処理プロセスに切り替える必要がある。
【００６４】
切り替えプロセスがスムーズに行われるように、切り替えプロセスを一定の時間Ｔ０内に表示する必要があり、Ｔ０の最小値は、以下の式を満たすべきである。
2021535528.tif 000003
【００６５】
ここで、Ｖｅｒｔｉｃａｌ＿Ａｃｔｉｖｅは１フレームの行数で、Ｂｌｏｃｋはタッチモードで表示処理ウィンドウに分割された数で、Ｈｏｒｉｚｏｎｔａｌ＿Ｌｉｎｅ＿Ｔｉｍｅは１行の時間である。
【００６６】
選択的に、第１時間帯における作動モードがタッチモードまたはタッチ移行モードである場合、第１時間帯が終了すると、フィードバック信号は第２フィードバック状態となり、すなわち所定の時間帯のフィードバック信号の初期状態は第２フィードバック状態であり、所定の時間帯でタッチ操作が検出されないと、フィードバック信号が所定の時間帯内で第２フィードバック状態から第１フィードバック状態に切り替えられ、フィードバック信号の第２切り替え状態を得て、タッチスクリーンの所定の時間帯における作動モードはタッチ終了モードであることができる。
【００６７】
選択可能な実施例として、第１時間帯における作動モードと検出結果に応じてフィードバック信号を決定するステップは、第１時間帯における作動モードがタッチモードまたはタッチ移行モードである場合であって、所定の時間帯内にタッチ操作が存在しない場合、フィードバック信号が第２フィードバック状態から第１フィードバック状態へ切り替えられたことを示すための第２切り替え状態になるようにフィードバック信号を制御するステップを含み、フィードバック信号に応じて、タッチスクリーンの作動モードを制御するステップは、第２切り替え状態に応じて、所定の時間帯における作動モードがタッチ終了モードであるようにタッチスクリーンを制御するための第４制御命令を生成するステップを含み、タッチ終了モードは、所定の時間帯が終了した後、作動モードを表示専用モードに切り替えることを示す。
【００６８】
選択的に、第４制御命令は、タッチ（Ｔ）機能のみを有するタッチ同期信号から、表示（Ｄ）機能とタッチ（Ｔ）機能を時分割に処理するタッチ同期信号に切り替えるものであることができる。
【００６９】
図７は、本発明の実施例に係るタッチ終了モードを示す図であり、図７に示すように、１時間区間内（すなわち所定の時間）において、タッチパネル（ｐａｎｅｌ）へのタッチ操作が検出されないと、タッチモード（ＩＣＴ  Ｔｏｕｃｈ  Ｍｏｄｅ）を直ちに終了せず、１フレームが終了した後、フレーム消去（Ｖｅｒｔｉｃａｌ  Ｂｌａｎｋｉｎｇ）期間にてタッチモード（Ｔｏｕｃｈ  Ｍｏｄｅ）を終了する。これにより、タイミング制御（ＴＣＯＮ）チップとドライバ（Ｄｒｉｖｅｒ）チップに対する影響が最も小さく、スムーズに終了して、タッチスクリーンをタッチ終了モード（ＩＣＴ  Ｅｘｉｔ  Ｍｏｄｅ）で動作させることができる。
【００７０】
本発明の上記実施例によれば、チップ自動テスト態様の集積性、互換性、および柔軟性を改善するために、チップテスト回路基板を改善する態様でこれらの課題を解決することができる。本発明は、従来の態様の制限を鑑みて、ドライバ（Ｄｒｉｖｅｒ）チップのフィードバックメカニズムを設計してタッチ操作の有無を区別し、フィードバック情報に基づいて、異なる状況でクロックを最適化して消費電力の低減させる。
【００７１】
本発明の技術案によれば、ドライバチップによるタイミング制御チップのフィードバック信号（Ｔｏｕｃｈ＿Ｐｒｏｃｅｓｓ）を追加して、タイミング制御（ＴＣＯＮ）チップとドライバ（Ｄｒｉｖｅｒ）チップの内部クロックが最適な状態で作動でき、性能を両立させた上で、消費電力をより低減する。
【００７２】
本発明の実施例によれば、タッチスクリーンの制御方法の実施例をさらに提供する。なお、このタッチスクリーンの制御方法は、上記タッチスクリーンの制御機器のハードウェア環境でタッチスクリーンの制御方法を実行することができる。
【００７３】
図８は、本発明の実施例に係るタッチスクリーンの制御方法を示すフローチャートであり、図８に示すように、この方法は以下のステップＳ８０２、Ｓ８０４、Ｓ８０６を含む。
【００７４】
ステップＳ８０２において、タッチスクリーンのパネルへのタッチ操作の有無を示すタッチ命令を検出する。
【００７５】
ステップＳ８０４において、タッチ命令に応じて、フィードバック信号を決定する。
【００７６】
ステップＳ８０６において、フィードバック信号をタイミング制御チップに送信する。ここで、タイミング制御チップは、フィードバック信号に基づいて、タッチスクリーンの作動モードを制御する。
【００７７】
本発明の実施例において、タッチスクリーンのタッチパネルへのタッチ操作の有無を検出して検出結果を得てから、検出結果に応じてフィードバック信号を決定し、フィードバック信号をタイミング制御チップに送信し、タイミング制御チップにより該フィードバック信号に基づいて、タッチスクリーンの作動モードを制御することで、タッチスクリーンの作動モードを柔軟に制御する目的を実現し、タッチスクリーンを柔軟に制御する技術効果を実現し、従来のタッチスクリーンの制御態様が柔軟性に欠ける課題を解決する。
【００７８】
上記ステップＳ８０６において、タイミング制御チップは、フィードバック信号に基づいて、当該フィードバック信号に対応するタッチ同期信号を生成し、当該タッチ同期信号に基づいて、タッチスクリーンの作動モードを制御することができる。
【００７９】
本発明の他の実施例によれば、記憶されたプログラムを含む記憶媒体をさらに提供し、プログラムが実行されると上記方法のいずれかを実行する。
【００８０】
本発明の他の実施例によれば、プログラムを実行するプロセッサをさらに提供し、プログラムが実行されると上記方法のいずれかを実行する。
【００８１】
本発明の実施例によれば、タッチスクリーンの制御装置の実施例をさらに提供する。なお、このタッチスクリーンの制御装置は、本発明の実施例におけるタッチスクリーンの制御方法を実行することができ、本発明の実施例におけるタッチスクリーンの制御方法を該タッチスクリーンの制御装置において実行することができる。
【００８２】
図９は、本発明の実施例に係るタッチスクリーンの制御装置を示す図であり、図９に示すように、この装置は、第１取得ユニット９１と、第１決定ユニット９３と、制御ユニット９５と、を含むことができる。
【００８３】
ここで、第１取得ユニット９１は、検出結果を取得するように構成され、検出結果は、タッチスクリーンのタッチパネルへのタッチ操作の有無を示す。第１決定ユニット９３は、検出結果に応じてフィードバック信号を決定するように構成される。制御ユニット９５は、フィードバック信号に基づいて、タッチスクリーンの作動モードを制御するように構成される。
【００８４】
なお、この実施例における第１取得ユニット９１は本願実施例におけるステップＳ３０２を実行することができ、この実施例における第１決定ユニット９３は本願実施例におけるステップＳ３０４を実行することができ、この実施例における制御ユニット９５は本願実施例におけるステップＳ３０６を実行することができる。上記手段と対応するステップによる実例や適用状況は同様であり、上記実施例に開示された内容に限定されない。
【００８５】
本発明の実施例において、タッチスクリーンのタッチパネルへのタッチ操作の有無を検出して検出結果を得てから、検出結果に応じてフィードバック信号を決定し、その後フィードバック信号によってタッチスクリーンの作動モードを制御して、タッチスクリーンの作動モードを柔軟に制御する目的を実現して、タッチスクリーンを柔軟に制御する技術効果を実現し、従来のタッチスクリーンの制御態様が柔軟性に欠ける課題を解決する。
【００８６】
選択可能な実施例として、作動モードは、タッチ機能を有しないようにタッチスクリーンを制御するように構成された表示専用モードと、タッチ機能を有するようにタッチスクリーンを制御するように構成されたタッチモードと、表示専用モードからタッチモードに切り替えるようにタッチスクリーンを制御するように構成されたタッチ移行モードと、タッチモードから表示専用モードに切り替えるようにタッチスクリーンを制御するように構成されたタッチ終了モードと、を含む。
【００８７】
選択可能な実施例として、第１決定ユニットは、タッチスクリーンの、フィードバック信号のある所定の時間帯の直前の時間帯である第１時間帯における作動モードを取得するように構成された取得手段と、第１時間帯における作動モードと検出結果に応じて、フィードバック信号を決定するように構成された第１決定手段と、を含む。
【００８８】
選択可能な実施例として、第１決定手段は、第１時間帯における作動モードが表示専用モードまたはタッチ終了モードである場合であって、所定の時間帯内にタッチ操作が存在しない場合、フィードバック信号が第１フィードバック状態であると決定するように構成された第２決定手段を含み、制御ユニットは、第１フィードバック状態に応じて、第１制御命令を生成するように構成された第１生成手段を含む。ここで、第１制御命令は、所定の時間帯における作動モードが表示専用モードであるようにタッチスクリーンを制御するものである。
【００８９】
選択可能な実施例として、第１決定手段は、第１時間帯における作動モードが表示専用モードまたはタッチ終了モードである場合であって、所定の時間帯内にタッチ操作が存在する場合、フィードバック信号が第１切り替え状態であると決定するように構成された第３決定手段を含む。ここで、第１切り替え状態はフィードバック信号が第１フィードバック状態から第２フィードバック状態に切り替えられたことを示す。制御ユニットは、第１切り替え状態に応じて、第２制御命令を生成するように構成された第２生成手段を含む。ここで、第２制御命令は、所定の時間帯における作動モードがタッチ移行モードであるようにタッチスクリーンを制御するものであり、タッチ移行モードはフィードバック信号が第１フィードバック状態から第２フィードバック状態に切り替えられた場合に、タッチ機能を有するようにタッチスクリーンを制御することを示す。
【００９０】
選択可能な実施例として、第１決定手段は、第１時間帯における作動モードがタッチ移行モードまたはタッチモードである場合であって、所定の時間帯内にタッチ操作が存在する場合、第２フィードバック状態になるようにフィードバック信号を制御するように構成された第４決定手段を含み、制御ユニットは、第２フィードバック状態に応じて、第３制御命令を生成するように構成された第３生成手段を含む。ここで、第３制御命令は所定の時間帯における作動モードがタッチモードであるようにタッチスクリーンを制御するものである。
【００９１】
選択可能な実施例として、第１決定手段は、第１時間帯における作動モードがタッチモードまたはタッチ移行モードである場合であって、所定の時間帯内にタッチ操作が存在しない場合、第２切り替え状態になるようにフィードバック信号を制御するように構成された第５決定手段を含む。ここで、第２切り替え状態はフィードバック信号が第２フィードバック状態から第１フィードバック状態に切り替えられたことを示す。制御ユニットは、第２切り替え状態に応じて、第４制御命令を生成するように構成された第４生成手段を含む。ここで、第４制御命令は、所定の時間帯における作動モードがタッチ終了モードであるようにタッチスクリーンを制御するものであり、タッチ終了モードは所定の時間帯が終了した後、作動モードを表示専用モードに切り替えることを示す。
【００９２】
選択可能な実施例として、第１フィードバック状態は、フィードバック信号が低電位である状態を示す。
【００９３】
選択可能な実施例として、第２フィードバック状態は、フィードバック信号が高電位である状態を示す。
【００９４】
本発明の実施例によれば、タッチスクリーンの制御装置の実施例をさらに提供する。なお、このタッチスクリーンの制御装置は、本発明の実施例におけるタッチスクリーンの制御方法を実行することができ、本発明の実施例におけるタッチスクリーンの制御方法を該タッチスクリーンの制御装置において実行することができる。
【００９５】
図１０は、本発明の実施例に係るタッチスクリーンの制御装置を示す図であり、図１０に示すように、この装置は、第２取得ユニット１０１と、第２決定ユニット１０３と、送信ユニット１０５と、を含むことができる。
【００９６】
ここで、第２取得ユニット１０１は、検出結果を取得するように構成され、検出結果は、タッチスクリーンのタッチパネルへのタッチ操作の有無を示す。第２決定ユニット１０３は、検出結果に応じて、フィードバック信号を決定するように構成される。送信ユニット１０５は、フィードバック信号をタイミング制御チップに送信するように構成される。ここで、タイミング制御チップは、フィードバック信号に基づいて、タッチスクリーンの作動モードを制御する。
【００９７】
なお、この実施例における第２取得ユニット１０１は本願実施例におけるステップＳ８０２を実行することができ、この実施例における第２決定ユニット１０３は本願実施例におけるステップＳ８０４を実行することができ、この実施例における送信ユニット１０５は本願実施例におけるステップＳ８０６を実行することができる。上記手段と対応するステップによる実例や適用状況は同様であり、上記実施例に開示された内容に限定されない。
【００９８】
本発明の実施例において、タッチスクリーンのタッチパネルへのタッチ操作の有無を検出して検出結果を得てから、検出結果に応じてフィードバック信号を決定し、フィードバック信号をタイミング制御チップに送信し、タイミング制御チップにより該フィードバック信号に基づいてタッチスクリーンの作動モードを制御することで、タッチスクリーンの作動モードを柔軟に制御する目的を実現し、タッチスクリーンを柔軟に制御する技術効果を実現し、従来のタッチスクリーンの制御態様が柔軟性に欠ける課題を解決する。
【００９９】
上記本発明の実施例の番号は説明のためのものであり、実施例の優劣を示すものではない。
【０１００】
本発明の上記実施例において、各実施例の説明は重要視するものがあって、ある実施例で詳しく説明していない部分については他の実施例の関連部分の説明を参照することができる。
【０１０１】
本願によるいくつかの実施例において、開示した技術内容を他の方式で実現できることは理解できることである。ここで、以上で説明した装置実施例は例示したものであって、例えば、上記ユニットの区画はロジック機能の区画であることができるが、実際に実現する時は他の区画方式であることもできる。例えば、複数のユニット又は部品を組合せるか、又は他の１つのシステムに集積するか、又は部分の特徴を省略又は実行しないこともできる。そして、示した又は検討した相互結合又は直接結合又は通信接続はインターフェース、ユニット又は手段を介した間接的な結合又は通信接続であることができ、電気的又は他の形態のものであることもできる。
【０１０２】
上述した分離部品として説明したユニットは、物理的に分離したものであることができれば物理的に分離していないものであることもでき、ユニットとして表す部品は物理ユニットであることができれば物理ユニットではないこともでき、つまり、１つの箇所に位置することができれば、複数のユニットに分布されることもできる。実際の必要に応じて、その中の一部又は全部のユニットを選択して本実施例の技術案を実現する目的を実現することができる。
【０１０３】
そして、本発明の各実施例における各機能ユニットを１つの処理ユニットに集積することができ、各ユニットが物理的に独立したものであることもでき、二つ又はその以上のユニットを１つのユニットに集積することもできる。上記集積されたユニットをハードウェアの形態で実現できれば、ソフトウェア機能ユニットの形態で実現することもできる。
【０１０４】
上記集積されたユニットをソフトウェア機能ユニットの形態で実現して独立製品として販売したり使用したりする場合、コンピューター読取可能な記憶媒体に記憶することができる。従って、本発明の技術案の実質又は従来技術に対する貢献のある部分又は該技術案の全部又は一部をソフトウェア製品の形態で実現することができ、このようなコンピューターソフトウェア製品は記憶媒体に記憶され、コンピューター機器（パーソナルコンピュータ、サーバ又はネットワーク機器等）に本発明の各実施例で説明した方法のステップの全部又は一部を実行させる命令を含むことができる。上述した記憶媒体は、ＵＳＢ、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、ポータブルＨＤＤ、磁気ディスク又は光ディスク等のプログラムコードを記憶可能な様々な媒体を含む。
【０１０５】
以上は、本発明の好適な実施形態に過ぎず、当業者であれば本発明の原理を離脱せずに様々な改善や修正が可能であって、このような改善や修正は本発明の保護範囲中に含まれる。
【産業上の利用可能性】
【０１０６】
本発明の実施例による技術案は、タッチスクリーンに対する制御プロセスに適用されることができる。本発明の実施例によれば、従来のタッチスクリーンの制御態様が柔軟性に欠ける課題を解決し、タッチスクリーンの作動モードを柔軟に制御することができる。
【図１】
2021535528.tif 000004
【図２】
2021535528.tif 000005
【図３】
2021535528.tif 000006
【図４】
2021535528.tif 000007
【図５】
2021535528.tif 000008
【図６】
2021535528.tif 000009
【図７】
2021535528.tif 000010
【図８】
2021535528.tif 000011
【図９】
2021535528.tif 000012
【図１０】
2021535528.tif 000013
【国際調査報告】
2021535528.tif 000014
2021535528.tif 000015
2021535528.tif 000016
2021535528.tif 000017